(57)【特許請求の範囲】
【請求項１】
アナログ放送を受信するアナログ放送受信部と、ディジタル放送を受信するディジタル放送受信部と、ディジタル放送の受信レベルを検出する受信レベル検出手段と、アナログ放送とディジタル放送がサイマルキャストで同一番組を放送しているかどうかに関する情報を放送波から取り出して記憶するサイマルキャスト情報記憶手段と、サイマルキャストのディジタル放送受信中に受信レベルが所定レベルを下回ったときにサイマルキャストのアナログ放送の受信に切り換える切換制御手段と、前記切換手段によってアナログ放送の受信に切り換えたとき前記受信レベル検出手段に必要な電力以外の前記ディジタル放送受信部への電力供給を停止する電力供給停止手段と、を備えたことを特徴とする放送受信装置。
【請求項２】
前記切換手段は、サイマルキャストのディジタル放送受信中に受信レベルが所定レベルを下回ったときに前記情報記憶手段によって記憶されたサイマルキャストに関する情報を読み出す情報読み出し手段と、前記情報読み出し手段によって同一番組を放送しているという情報が読み出されたときサイマルキャストのアナログ放送の受信に切り換える第２切換制御手段をさらに備える、請求項１記載の放送受信装置。
【発明の詳細な説明】
【０００１】
【産業上の利用分野】
この発明は、ディジタル放送及びアナログ放送の両方を受信することができる放送受信装置、及びディジタル放送方法に関する。
【０００２】
【従来の技術】
ディジタル信号圧縮技術を用いて映像・音声信号を圧縮するとともに、複数番組の映像・音声ディジタル信号を時分割多重したストリーム（トランスポート・ストリーム）をトランスポンダ（衛星中継器）を経由して放送するディジタル放送がある。一方、このようなディジタル多チャンネル放送を受信する放送受信装置は、専用のアンテナを通して受け取ったディジタル放送の複数のトランスポンダのなかから一つをチューナによって選択し、この一つのトランスポンダに含まれる複数のチャンネルのうち一つをデマルチプレクス処理によって選択し、この選択したチャンネルのディジタル信号をデコードすることによって映像・音声信号を出力するようになっている。
【０００３】
ところで、ディジタル放送においては、Ｃ／Ｎ（Ｃａｒｒｉｅｒ  ｔｏ  Ｎｏｉｓｅ  Ｒａｔｉｏ）が劣化してビット誤り率が誤り訂正可能な範囲を超えてしまうと、映像や音声が全く出力されないという状態に至る。この視聴不能の状態は、Ｃ／Ｎが復帰するまで続くことになる。これに対し、アナログ放送は、突然視聴できなくなるというのではなく、徐々に受信状態が悪くなるという性質を有する。従って、ディジタル放送による視聴はできなくてもアナログ放送による視聴は可能という場合があり得る。ここで、ＢＳ（Ｂｒｏａｄｃａｓｔｉｎｇ  ｖｉａ  Ｓａｔｅｌｌｉｔｅ）放送においては、アナログ放送とディジタル放送がサイマルキャストで同一番組を放送することが予定されている。このサイマルキャストで放送が行われ、且つ受信装置がディジタル放送とアナログ放送の両方の受信が行える構成であれば、ディジタル放送の視聴中に映像・音声の受信が困難になったとき、ユーザーは自らの判断でリモコン装置を操作してアナログ放送の受信に切り換えて同一番組の視聴を継続することが可能である。
【０００４】
【発明が解決しようとする課題】
しかしながら、ユーザーによっては、Ｃ／Ｎの劣化で映像・音声が全く視聴できなくなった場合に、どのようにしてよいのか分からない方もいるであろう。また、切換操作を煩わしく感じるユーザーもいるであろう。更に、ユーザーがアナログ放送受信に切り換えた場合、ディジタル放送の受信レベルが回復したにもかかわずアナログ放送を見続けてしまうことも考えられる。
【０００５】
この発明は、上記の事情に鑑み、煩わしい操作なしでディジタル放送の受信困難時に同一番組のアナログ放送を受信できるようにした放送受信装置を提供することを目的とする。
【０００６】
【課題を解決するための手段】
この発明の放送受信装置は、上記の課題を解決するために、アナログ放送を受信するアナログ放送受信部と、ディジタル放送を受信するディジタル放送受信部と、ディジタル放送の受信レベルを検出する受信レベル検出手段と、アナログ放送とディジタル放送がサイマルキャストで同一番組を放送しているかどうかに関する情報を放送波から取り出して記憶するサイマルキャスト情報記憶手段と、サイマルキャストのディジタル放送受信中に受信レベルが所定レベルを下回ったときにサイマルキャストのアナログ放送の受信に切り換える切換制御手段と、切換手段によってアナログ放送の受信に切り換えたとき受信レベル検出手段に必要な電力以外の前記ディジタル放送受信部への電力供給を停止する電力供給停止手段と、を備えたことを特徴とする。
【０００７】
上記の構成であれば、アナログ放送とディジタル放送がサイマルキャストで同一番組を放送している場合において、ディジタル放送の視聴中に受信レベルが所定レベルを下回ったときには、自動的にアナログ放送の受信に切り換わるので、ユーザーは煩わしい操作なしで同一番組を継続して視聴できる。
【０００８】
請求項２の発明に従う放送受信装置は、請求項１に従属し、サイマルキャストのディジタル放送受信中に受信レベルが所定レベルを下回ったときに情報記憶手段によって記憶されたサイマルキャストに関する情報を読み出す情報読み出し手段と、情報読み出し手段によって同一番組を放送しているという情報が読み出されたときサイマルキャストのアナログ放送の受信に切り換える第２切換制御手段をさらに備える。これによって、サイマルキャストの情報がないときディジタル放送の受信を継続する。
【００１０】
【発明の実施の形態】
以下、この発明の実施形態を図１乃至図３に基づいて説明するが、ここではユーザがＢＳ（Ｂｒｏａｄｃａｓｔｉｎｇ  ｖｉａ  Ｓａｔｅｌｌｉｔｅ）放送を視聴する場合を例示している。図１はＢＳディジタル放送及びＢＳアナログ放送の両方を視聴できるこの実施形態の放送受信装置３０を示したブロック図であり、図２は放送受信切換処理を示したフローチャートであり、図３はディジタル放送システムを示す説明図である。
【００１１】
アンテナ１は、屋外において所定の方向に向けて配置されており、ＢＳから送られてくるディジタル放送信号及びアナログ放送信号を受信する。このアンテナ１は、一般に周波数変換器を備え、受信／周波数変換した信号をチューナに与える。なお、ディジタルＢＳがアナログＢＳと同一軌道上に打ち上げられるのであれば、一つのアンテナ１を共用できる。
【００１２】
ＢＳディジタルチューナ２は、映像・音声データを含む高周波ディジタル変調信号のうちから特定周波数の信号を取り出す。すなわち、ディジタル放送の複数のトランスポンダのなかから一つを選択する処理を行う。また、ＢＳディジタルチューナ２は、逆インタリーブ回路、誤り訂正回路などを備えることにより、選択したディジタル変調信号を復調してトランスポート・ストリームを出力する。更に、ＢＳディジタルチューナ２は、選択した特定周波数におけるＣ／Ｎの良否判定を行い、このＣ／Ｎ判定結果をシステムコントローラ１３に供給する。Ｃ／Ｎの良否判定は、例えば誤り訂正回路におけるエラーレート等に基づいて行うことができる。
【００１３】
デマルチプレクサ（ＤＥＭＵＸ）３は、ＢＳディジタルチューナ２から受け取ったトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、およびＰＳＩ（Ｐｒｏｇｒａｍ  Ｓｐｅｃｉｆｉｃ  Ｉｎｆｏｒｍａｔｉｏｎ）に分離する。デマルチプレクサ３は、ビデオトランスポートパケットとオーディオトランスポートパケットをＡＶデコーダ４に供給し、ＰＳＩに含まれるサービス情報やサイマルキャストに関する情報をシステムコントローラ１３に供給する。なお、前述のごとく、トランスポート・ストリームには複数のチャンネルが多重化されており、このなかから任意のチャンネルを選択するための処理は、前記ＰＳＩから任意のチャンネルがトランスポート・ストリーム中でどのパケットＩＤで多重化されているかといったデータを取り出すことで可能となる。また、アナログ放送とディジタル放送がサイマルキャストで同一番組を放送しているかどうかに関する情報をＰＳＩに含めて送出する放送方法を放送局が採用している場合には、当該サイマルキャストに関する情報もＰＳＩから取り出すことができる。更に、トランスポート・ストリームの選定（トランスポンダの選定）のための情報もＰＳＩから取り出すことができる。
【００１４】
ＡＶデコーダ４は、ビデオトランスポートパケットに対してデコードを行うビデオデコーダ、及びオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１５】
映像処理回路５はＡＶデコーダ４から映像データを受け取り、Ｄ／Ａ変換を行って映像信号を生成する。音声信号処理回路６はＡＶデコーダ４から出力された音声データを受け取り、Ｄ／Ａ変換を行い、アナログ音声信号を生成する。
【００１６】
ＢＳアナログチューナ１７は、ユーザーが選択したチャンネルに対応する周波数の信号を選択する選局処理、選択した周波数の信号をＦＭ復調する復調処理を行う。そして、映像・音声処理回路１８は、映像処理については、ディエンファシス処理などを行って映像信号を生成し、音声処理については、ＰＣＭ復調処理などを行い、アナログ音声信号を生成する。
【００１７】
信号切換回路１９は、映像処理回路５からのディジタル放送に基づく映像信号と、映像・音声処理回路１８からのアナログ放送に基づく映像信号のいずれかを選択して加算器１６に出力する。また、音声処理回路６からのディジタル放送に基づく音声信号と、映像・音声処理回路１８からのアナログ放送に基づく音声信号のいずれかを選択して出力する。どちらを選択するかは、システムコントローラ１３からの切換信号に基づいて行う。なお、サイマルキャストの放送受信においては、ディジタル放送の受信を優先する。
【００１８】
映像出力回路７及び音声出力回路８は出力抵抗や増幅器等を備えて成る。ＡＶ出力端子９には出力部（左右音声出力端子および映像出力端子のセット）が設けられている。ＡＶ出力端子９には、モニター２４が接続される。モニター２４は、ブラウン管２１を駆動する偏向回路２２や高圧回路２３を備えた受像部およびスピーカ２０等を備えている。
【００１９】
ＯＳＤ（オンスクリーンディスプレイ）回路１２は、システムコントローラ１３から出力指示された文字情報に基づくビットマップデータを加算器１６に出力する。加算器１６は前記ビットマップデータを信号切換回路１９から出力された映像信号に組み込む処理を行う。ＯＳＤ回路１２により、システムコントローラ１３が受け取った前述のＰＳＩに含まれるサービス情報に基づくＥＰＧ（Ｅｌｅｃｔｒｏｎｉｃ  Ｐｒｏｇｒａｍ  Ｇｕｉｄｅ）画面表示が実現される他、操作ガイド画面などの表示も行えることになる。
【００２０】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してシステムコンローラ１３に与える。
【００２１】
システムコンローラ１３は、アナログ放送受信機能およびディジタル放送受信機能の両方に対応したコントローラであり、前記リモコン送信機１０などを用いたユーザーによる番組選択処理等を行う。更に、このシステムコントローラ１３は、前記デマルチプレクサ３にて分離された情報（番組情報、サイマルキャストに関する情報など）をメモリ１４に格納する処理、及びサイマルキャストにおける自動受信切換処理を行う。この自動受信切換処理においては、電源制御部１５を用いた各回路に対する個別の電源供給／停止制御も行う。
【００２２】
サイマルキャストにおける自動受信切換処理を、図２のフローチャートに基づいて説明する。放送受信装置は、ユーザーにより指定されたチャンネルのディジタル放送を受信し（ステップＳ１）、ディジタル放送におけるＣ／Ｎが良好かどうかを判定する（ステップＳ２）。Ｃ／Ｎが良好であれば、ディジタル放送の受信を継続する。一方、Ｃ／Ｎが良好でないなら、メモリ１４からサイマルキャストに関する情報を読み出す（ステップＳ３）。メモリ１４にサイマルキャストに関する情報が無い（サイマルキャストは実施されていない）のであれば、ディジタル放送の受信を継続することになる。なお、Ｃ／Ｎが良好でないとする状態は誤り訂正困難の状態を示すものではなく、誤り訂正が困難になる可能性が高い状態を示すものとする。従って、ディジタル放送の受信継続に進んでも視聴不能となるわけではなく、視聴不能となる可能性の高い状態でディジタル放送を視聴している状態となる。
【００２３】
メモリ１４にサイマルキャストに関する情報が有れば、電源制御部１５に指令信号を送出してＢＳアナログ受信機能部分への電力供給を行わせ、前記サイマルキャストに関する情報に基づき、ＢＳアナログチューナー１７を制御してサイマルキャストのアナログ放送において同一番組を受信させ、信号切換回路１９に対して切換信号を送出することによって当該信号切換回路１９において映像・音声処理回路１８からの映像・音声を選択させて出力させる（ステップＳ５，ステップＳ６）。ディジタル放送のＣ／Ｎ判定については継続して行うこととし（ステップＳ７）、Ｃ／Ｎが回復していないならアナログ放送の受信を継続することになる（ステップＳ６）。なお、アナログ放送の受信時、ディジタル放送のＣ／Ｎ判定に必要な回路以外の構成部分への電力供給を停止するようにしてもよい。Ｃ／Ｎが回復したなら、信号切換回路１９に対して切換信号を送出することによって当該信号切換回路１９において映像・音声処理回路５・６からの映像・音声を選択させて出力させるとともに、ＢＳアナログ受信機能部分への電力供給を停止する（ステップＳ８，Ｓ１）。
【００２４】
このように、アナログ放送とディジタル放送がサイマルキャストで同一番組を放送している場合には、これに関する情報を受信装置３０が知得し、この情報をメモリ１４に保持する。受信装置３０はディジタル放送の視聴中に受信レベルが所定レベルを下回ったときには、上記メモリ１４に格納しておいた情報に基づいて自動的にアナログ放送の受信に切り換える。これにより、ユーザーは煩わしい操作なしで同一番組を継続して視聴することができる。また、受信装置３０は、サイマルキャストのアナログ放送の受信に切り換えた後、受信レベルの回復を検出したときには、サイマルキャストのディジタル放送の受信に切り換えるので、ディジタル放送の受信レベルが回復したにもかかわずアナログ放送を見続けてしまうということを防止できる。
【００２５】
なお、上記の例ではディジタル放送受信不能に至る前にサイマルキャストのアナログ放送受信に切り換えることとしたが、これに限るものではなく、ディジタル放送受信不能に至ってからサイマルキャストのアナログ放送受信に切り換えてもよい。また、サイマルキャストのアナログ放送受信に切り換えたときに、ＯＳＤ回路１２を用いて画面上にアナログ放送受信に切り換えている旨を表示するようにしてもよい。
【００２６】
図３は、ディジタル放送システムの概略を示す説明図である。ディジタル圧縮符号化された映像情報４１、音声情報４２、データ情報４３、及び番組情報（アナログ放送とディジタル放送がサイマルキャストで同一番組を放送しているかどうかに関する情報を含む）４４は、多重化部４５において多重化されてビットストリームとなる。このビットストリームは、伝送符号化部４６において誤り訂正符号付加やインターリーブされてトランスポートストリームに変換され、変調部４７にてディジタル変調されて送出される。サイマルキャストに関する情報にはサイマルキャストの有無およびサイマルキャストされているアナログ放送のチャンネル番号が含まれる。
【００２７】
【発明の効果】
以上説明したように、この発明によれば、煩わしい操作なしでディジタル放送の受信困難時に同一番組のアナログ放送を受信できる。また、ディジタル放送の受信レベルが回復したにもかかわずアナログ放送を見続けてしまうのを防止できるという効果を奏する。
【図面の簡単な説明】
【図１】この発明の実施形態の放送受信装置を示すブロック図である。
【図２】この発明の実施形態のサイマルキャストにおける自動受信切換処理を示したフローチャートである。
【図３】この発明の実施形態のディジタル放送システムの概略を示す説明図である。
【符号の説明】
２    ＢＳディジタルチューナ
３    デマルチプレクサ（ＤＥＭＵＸ）
４    ＡＶデコーダ
５    映像処理回路
６    音声処理回路
１２  ＯＳＤ回路
１３  システムコントローラ
１４  メモリ
１７  ＢＳアナログチューナ
１８  映像・音声処理回路
１９  信号切換回路
【図１】
0003631079.tif 000002
【図２】
0003631079.tif 000003
【図３】
0003631079.tif 000004